(57)【要約】【課題】丹田を形成して鍛えることにより、ストレスを解消して肩こり、腰痛から内蔵障害までさまざまな病気を引き起こしにくい身体に整えることができ、効果的な健康促進を得る。【解決手段】骨盤を固定し、大腿臀部を仙腸関節面の傾斜角方向に移動させて腰椎及び仙腸関節を屈曲させて、丹田部位において上腹部に膨隆を発生させ、かつ臍下部に下腹筋群の花芯状収縮を起こさせてなる丹田を形成する。【選択図】  図１
2013022315.tif 000002
【特許請求の範囲】
【請求項１】
骨盤を固定し、大腿臀部を仙腸関節面の傾斜角に相当する方向に可動させて腰椎及び仙腸関節を屈曲させてなる丹田形成装置を用いて、丹田部位において上腹部に膨隆を発生させ、かつ臍下部に下腹筋群の花芯状収縮を起こさせて丹田を形成してなる丹田鍛施術装置。
【請求項２】
骨盤を固定し、大腿臀部を仙腸関節面の傾斜角に相当する方向に、かつ腸骨と仙骨の中心腔に向かう線を基軸方向に可動させて腰椎及び仙腸関節を屈曲させてなる丹田形成装置を用いて、丹田部位において上腹部に膨隆を発生させ、かつ臍下部に下腹筋群の花芯状収縮を起こさせて丹田を形成してなる丹田鍛施術装置。
【請求項３】
前記丹田形成手段は、大腿臀部を仙腸関節面の傾斜角に相当方向に可動させるための摺動装置を備えることを特徴とする請求項１又は２に記載の丹田鍛施術装置。
【請求項４】
前記摺動装置は、大腿臀部を仙腸関節面の傾斜角に相当する方向に可動させる傾斜角を備える前記椅子の載置台の上面に設けられた軸受案内部材を備えることを特徴とする請求項３に記載の丹田鍛施術装置。
【請求項５】
骨盤を固定し、大腿臀部を仙腸関節面の傾斜角に相当する方向に可動させ腰椎及び仙腸関節を屈曲させて、丹田部位において上腹部に膨隆を発生させ、かつ臍下部に下腹筋群の花芯状収縮を起こさせてなる丹田を形成し、該収縮を面から点へと移行させて刺激を増幅させて、該増幅された刺激を求心性に自律神経を介して太陽神経、脳へと伝え、該刺激によって脳の視床下部、脳下垂体などから上位ホルモンを血管を通して分泌させて各臓器に伝えて、甲状腺ホルモンを中心にその分泌を正常化し、又各臓器の働きを促進させる丹田形成法。
【請求項６】
前記刺激と同時に腹式呼吸を行うことを特徴とする請求項５記載の丹田形成法。
【発明の詳細な説明】
【技術分野】
【０００１】
本発明は、へその下約２横指程の体内中心位置に丹田を生成して、丹田を鍛え強化することにより、肩こり、腰痛から内蔵障害までさまざまな病気を引き起こす原因となるストレスを軽減でき、健康の促進をはかることが可能な丹田鍛施装置及び丹田形成法に関する。
【背景技術】
【０００２】
丹田とは、へその少し下のところで。下腹内部にあり気力が集まるところである。丹田を鍛えることにより、仙腸関節の可動性を高め腹圧を練る効果がある。骨盤は、坐骨、腸骨、恥骨から構成され、さらにその中心にある仙骨とその下にある尾骨、仙骨にくっついている腸骨で構成されている。仙骨は、骨盤の中央にある手の平大、逆三角形の骨である。腸骨には、人体で最も大量の骨髄が存在し、血液のおよそ半分が作られる。骨盤のひずみは、仙腸関節のずれによると考えられている。仙腸関節のずれは、骨盤のひずみを生じ、脊髄もひずみ、様々な病状を引き起こす原因ともなっている。
【０００３】
特許文献１は、骨盤のひずみを改善する腰椎矯正具を開示している。この腰椎矯正具は、全体重を仙骨部分にかけてより効率よく腰椎を矯正するために、背受け面が水平面に対し、４０から６０°の傾斜角に保持された背受け部材と、臀部受面が水平面に対して１４０から１５５°の傾斜角に保持される臀部受け部材とを備え、臀部受面に臀部が受けられた時、仙骨に当接して腰仙角が小さくなる方向に伸展させて仙骨を付勢する弾性押圧部材が臀部受面の所定位置に設けられる構造とした。これにより、足の部分の重量が仙骨部上方にかかることになり、仙骨が上方、すなわち腰仙角が小さくなる方向に伸展させて付勢され、腰椎前湾を矯正するようにした。この方式は、自身の全体重を矯正に使用しる。このため、自重の制御が十分に出来ず仙腸関節部位にかかる負担が大きく、仙腸関節部位を痛める可能性がある。
【０００４】
また、健康促進のために丹田に注目して、丹田を刺激して健康を増強させる健康座具としては、例えば特許文献２が知られている。特許文献２の健康座具は、身体を丹田を中心に左右方向で折り返す８字状に揺動させる運動を繰り返えす構造を備えている。そのために、座台に腰掛けた人の重心移動で座板の傾斜方向を８字状に繰り返し変えていくことで、座板に腰掛けた人が人の中心位置となる丹田を中心とした８字状に揺動していくものとなり、病気を引き起こす原因をなくし、健康の促進を図るようにしたものである。この文献１では、身体を丹田を中心に左右方向で折り返す８字状に揺動させる運動を繰り返えすため、仙腸関節部位に効率よく丹田の運動効果が伝わってこないため仙腸関節の矯正の改善になっていない。
【先行技術文献】
【特許文献】
【０００５】
【特許文献１】特開平８−３８５２７号公報
【特許文献２】特開平１１−４７１７８号公報
【発明の概要】
【発明が解決しようとする課題】
【０００６】
本発明の目的は、上述の問題点を鑑みてなされたもので、丹田の形状に注目し、骨盤を固定し、大腿臀部を仙腸関節面の傾斜角に相当する方向に可動させて腰椎及び仙腸関節を屈曲させてなる丹田形成装置を用いて、丹田部位において上腹部に膨隆を発生させ、かつ臍下部に下腹筋群の花芯状収縮を起こさせてなる丹田を形成することにより、ストレスを解消して肩こり、腰痛から内蔵障害までさまざまな病気を引き起こしにくい身体に整えることができ、また、腸骨腰椎関節に効率よく丹田の運動効果が伝わり、効果的な健康促進を得ることができる丹田鍛施術装置及び丹田形成法を提供することにある。
【課題を解決するための手段】
【０００７】
骨盤を固定し、大腿臀部を仙腸関節面の傾斜角に相当する方向に可動させて腰椎及び仙腸関節を屈曲させてなる丹田形成装置を用いて、丹田部位において上腹部に膨隆を発生させ、かつ臍下部に下腹筋群の花芯状収縮を起こさせて丹田を形成してなる丹田鍛施術装置。
【０００８】
骨盤を固定し、大腿臀部を仙腸関節面の傾斜角に相当する方向に、かつ腸骨と仙骨の中心腔に向かう線を基軸方向に可動させて腰椎及び仙腸関節を屈曲させてなる丹田形成装置を用いて、丹田部位において上腹部に膨隆を発生させ、かつ臍下部に下腹筋群の花芯状収縮を起こさせて丹田を形成してなる丹田鍛施術装置。
【０００９】
前記丹田形成手段は、大腿臀部を仙腸関節面の傾斜角に相当する方向に可動させるための摺動装置を備えることを特徴とする丹田鍛施術装置。
【００１０】
前記摺動装置は、大腿臀部を仙腸関節面の傾斜角に相当する方向に可動させるために前記椅子の載置台の上面に設けられた軸受案内部材を備えることを特徴とする丹田鍛施術装置。
【００１１】
骨盤を固定し、大腿臀部を仙腸関節面の傾斜角に相当する方向に可動させて腰椎及び仙腸関節を屈曲させて、丹田部位において上腹部に膨隆を発生させ、かつ臍下部に下腹筋群の花芯状収縮を起こさせてなる丹田を形成し、該収縮を面から点へと移行させて刺激を増幅させて、該増幅された刺激を求心性に自律神経を介して太陽神経、脳へと伝え、該刺激によって脳の視床下部、脳下垂体などから上位ホルモンを血管を通して分泌させて各臓器に伝えて、甲状腺ホルモンを中心にその分泌を正常化し、又各臓器の働きを促進させる丹田形成法。
【００１２】
前記刺激と同時に腹式呼吸を行うことを特徴とする丹田形成法。
【発明の効果】
【００１３】
骨盤を固定し、大腿臀部を仙腸関節面の傾斜角に相当する方向に可動させて腰椎及び仙腸関節を屈曲させてなる丹田形成装置を用いて、丹田部位において上腹部に膨隆を発生させ、かつ臍下部に下腹筋群の花芯状収縮を起こさせてなる丹田を形成することにより、仙腸関節に蓄積する歪を開放し、ストレスを解消して肩こり、腰痛から内蔵障害までさまざまな病気を引き起こしにくい身体に整えることができ、効果的な健康促進を得ることができる。また、腸骨腰椎関節部位のずれ等の変形が改善されることにより、骨盤における滑液（潤滑液）に流動場を発生させることができ、脳脊髄液の循環が、促進され、血液に関する病気の改善が期待される。
【図面の簡単な説明】
【００１４】
【図１】本発明に係る丹田鍛施術装置を示す概略図である。
【図２】本発明により得られる効果の１つであるストレスの改善の結果を示す表である。
【発明を実施するための形態】
【００１５】
一般に、骨盤は、寛骨（腸骨、恥骨、坐骨、一般には腸骨と言われている）、仙骨、尾骨及び仙腸関節とからなっている。丹田を仙腸関節内部は、髄膜関節で滑液（潤滑液）で満たされている。仙骨側の関節面は、ガラス状軟骨で、その表面は滑らかで凹の要素が強い、一方腸骨側の関節面は、繊維軟骨で形成され、ゴツゴツしている凸の要素が強い。仙腸関節は、安定性、可動性及脳脊髄液の循環の役割を果たしている。
【００１６】
本発明に係る丹田鍛施術装置は、骨盤を固定し、大腿臀部を仙腸関節面の傾斜角に相当する方向に可動させて腰椎及び仙腸関節を屈曲させて、丹田部位において上腹部に膨隆を発生させ、かつ臍下部に下腹筋群の花芯状収縮（ロート状に凹むこと）を起こさせる丹田を形成してなる。
【００１７】
骨盤を固定し、大腿臀部を仙腸関節面の傾斜角に相当する方向に、かつ腸骨と仙骨の中心腔に向かう線を基軸方向に可動させて腰椎及び仙腸関節を屈曲させてなる丹田形成装置を用いて、丹田部位において上腹部に膨隆を発生させ、かつ臍下部に下腹筋群の花芯状収縮を起こさせて丹田を形成させてもよい。
【００１８】
ここで、少なくとも仙腸関節を屈曲させることが重要である。仙腸関節面の傾斜角は、１５°〜４５°の範囲であり、一般には３０°であると考えられている。仙腸関節面は、腸骨と仙骨とが互いに対向する面で構成されている。
【００１９】
丹田形成法は、骨盤を固定し、大腿臀部を仙腸関節面の傾斜角に相当する方向に可動させて腰椎及び仙腸関節を屈曲させて、丹田部位において上腹部に膨隆を発生させ、かつ下腹筋群の花芯状収縮を起こさせる。これにより形成される丹田による収縮は面から点へと移行し、これらの刺激が増幅されて求心性に自律神経を介して太陽神経叢、脳へと伝わり、この刺激によって脳の視床下部、脳下垂体などから上位ホルモンが血管を通して分泌されて各臓器に伝わると共に、甲状腺ホルモンを中心にその分泌が正常化され、又各臓器の働きを促進させると考えられている。丹田にリョーケン反射（リョーケン反射とは、腹腔内で求心性の刺激を発生させ、この刺激によって脳から血管に上位ホルモンが分泌される一連の反射を指す）は、下腹筋群の花芯状収縮によって働きかけ精神的安定をもたらす。上記刺激は、腹式呼吸と同時に行うことが好ましい。
【００２０】
丹田を形成するための丹田形成手段を備え、丹田形成手段により大腿臀部を仙腸関節の傾斜角に相当する方向に可動させて腰椎及び仙腸関節を屈曲させる。この大腿臀部を仙腸関節面の傾斜方向に可動させるには、椅子に設けられた摺動装置によって行われる。また、椅子は、被施術者の骨盤を固定するための固定具を備えることが好ましい。
【００２１】
骨盤を固定し、大腿臀部を仙腸関節面の傾斜角に相当する方向に可動させて腰椎及び仙腸関節を屈曲させて、仙腸関節部位で圧力の付与を行うことにより、滑液（潤滑液）に仙腸関節内で流動場が形成される。さらに、滑液（潤滑液）の流動場、さらに圧力、せん断力、伸長場が付与され滑液（潤滑液）にせん断流動場が形成されて、仙腸関節のずれや変形の矯正を行うことができる、よってストレスの改善に効果が得られる。
【００２２】
本発明に係る丹田鍛施術装置より得られる効果の１つであるストレスの改善の結果を図２の表に示す。
【００２３】
図２の表は、本発明に係る丹田鍛施術装置を用いて、被施術者（１９人）の唾液アミラーゼの検査結果を示す。この表で唾液アミラーゼの検査前とは、丹田鍛施術装置を使用する前の値で、１時間後、２時間後とは丹田鍛施術装置を使用して、１時間後、２時間後に測定した結果である。丹田鍛施術装置での施術時間は、５分位である。唾液アミラーゼの検査からストレスの度合いがわかる。数値２０が標準状態である。この表から施術前の値が２５以上の被施術者１２人について、１時間後の数値で２０以下に改善された被施術者は、９人であり、特に年齢３０歳以上の被施術者６人について、１時間後の数値で２０以下に改善された被施術者は、６人であり、全員標準値まで改善された。
【実施例１】
【００２４】
以下、本発明に係る丹田鍛施術装置を添付図面を参照して詳述する。
図１は、丹田形成手段を備える丹田鍛施術装置の概略図である。丹田鍛施術装置１０は、被施術者１２の大腿臀部が載る載置台１６を設けた椅子１４である。図１に示すように、載置台１６は、床面の水平面に対して仙腸関節面の傾斜角に相当する角度；１５°〜４５°、通常３０°に傾斜して設けられている。
座台１８は、載置台の上に摺動可能に設けられている。座台１８は、載置台の上を摺動可能に移動する軸受案内部材１７を備えている。座台が移動する際に、大腿臀部が、載置台から滑り落ちないように載置台に大腿臀部が嵌る凹所を設けて、さらに載置台の一端に固定板部材を設けてもよい。
【００２５】
座台１８を軸受案内部材１７によって椅子の内側から外側方向に約５ｃｍ〜約１０ｃｍ摺動させ、約１０分から１５分間保持する。これにより、仙腸関節を構成する腸骨と仙骨との関節面の傾斜角が可変する。かくして、腰椎及び仙腸関節が屈曲され、丹田部位において上腹部に膨隆を発生させ、かつ臍下部に下腹筋群の花芯状収縮を起こさせてなる丹田が形成される。
【００２６】
さらに、椅子１４は、被施術者１２の骨盤を固定するための骨盤固定具２０を備える。骨盤固定具２０は、座台１８が移動する際に、座台上の被施術者１２の骨盤が、腸骨と骨盤（仙骨）の中心腔に向かう線の基軸に対してずれるのを防止するために設けることが好ましい。
【００２７】
かくして、骨盤を固定し、大腿臀部を仙腸関節面の傾斜角に相当する方向に移動させて仙腸関節を屈曲させて、丹田部位において上腹部に膨隆を発生させ、かつ臍下部に下腹筋群の花芯状収縮を起こさせてなる丹田を形成し、該収縮を面から点へと移行させて刺激を増幅させる。骨盤を固定し、大腿臀部を仙腸関節面の傾斜角に相当する方向に、かつ腸骨と仙骨の中心腔に向かう線を基軸方向に可動させて腰椎及び仙腸関節を屈曲させてもよい。また、丹田形成時に腹式呼吸を同時に行ってもよい。
【産業上の利用可能性】
【００２８】
ストレス改善、骨盤矯正、脳脊髄液循環の促進
【符号の説明】
【００２９】
１０；丹田形成手段を備える丹田鍛施術装置
１２；被施術者
１４；椅子
１６；載置台
１７；軸受案内部材
１８；座台
２０；骨盤固定具
【図１】
2013022315.tif 000003
【図２】
2013022315.tif 000004